(57)【要約】【課題】貯留ホッパ内の穀粒量の確認を容易に行えるものとする。【解決手段】脱穀部（４）の側部に設置されて該脱穀部（４）からの１番穀粒を貯留する貯留ホッパ（８）の側壁部には、外側に向けて膨出する略球面形状の透視可能な点検窓（１２）を設ける。また、点検窓（１２）を、貯留ホッパ（８）の前面で該貯留ホッパ（８）の左右方向中心部（Ｙ１）に設置する。また、点検窓（１２）を、運転席（５）の横幅方向中心部（Ｙ２）よりも脱穀部（４）側寄りの部位に設置する。また、点検窓（１２）を、貯留ホッパ（８）の前面の下端側に対して上端側ほど後位となる後傾斜面部に設ける。【選択図】      図１
2010193797.tif 000002
【特許請求の範囲】
【請求項１】
脱穀部（４）の側部に設置されて該脱穀部（４）からの１番穀粒を貯留する貯留ホッパ（８）の側壁部には、外側に向けて膨出する略球面形状の透視可能な点検窓（１２）を設けてあることを特徴とするコンバインの穀粒貯留ホッパ。
【請求項２】
前記点検窓（１２）は、貯留ホッパ（８）の前面で該貯留ホッパ（８）の左右方向中心部（Ｙ１）に設置してあることを特徴とする請求項１記載のコンバインの穀粒貯留ホッパ。
【請求項３】
前記点検窓（１２）は、貯留ホッパ（８）の前側に設置されている運転席（５）の横幅方向中心部（Ｙ２）よりも脱穀部（４）側寄りの部位に設置してあることを特徴とする請求項１又は請求項２記載のコンバインの穀粒貯留ホッパ。
【請求項４】
前記点検窓（１２）は、貯留ホッパ（８）の前面の下端側に対して上端側ほど後位となる後傾斜面部に設けてあることを特徴とする請求項１又は請求項２又は請求項３記載のコンバインの穀粒貯留ホッパ。
【発明の詳細な説明】
【技術分野】
【０００１】
この発明は、コンバインの袋詰用の穀粒貯留ホッパに関するものである。
【背景技術】
【０００２】
従来、脱穀部の側部に設置された穀粒貯留ホッパには、該ホッパの外側壁の一部を開口して透明性の樹脂板で塞いだ点検窓が設けられている（例えば特許文献１参照）。
【先行技術文献】
【特許文献】
【０００３】
【特許文献１】特開平９−１９１７５６号公報
【発明の概要】
【発明が解決しようとする課題】
【０００４】
上記従来の点検窓は、平らな透明樹脂板で構成されているため、透視範囲が狭く、正面一方向に限られてしまい、タンク内広範囲での点検が困難であった。
【課題を解決するための手段】
【０００５】
この発明は、上記課題を解決すべく次のような技術的手段を講じた。
すなわち、請求項１記載の発明は、脱穀部（４）の側部に設置されて該脱穀部（４）からの１番穀粒を貯留する貯留ホッパ（８）の側壁部には、外側に向けて膨出する略球面形状の透視可能な点検窓（１２）を設けてあることを特徴とするコンバインの穀粒貯留ホッパとする。
【０００６】
点検窓（１２）は外側に膨出する球面形状であるため、左右、上下あらゆる方向の角度から視認することができ、透視範囲が広くとれて貯留ホッパ（８）内の広範囲での点検が容易に行える。
【０００７】
請求項２記載の発明は、前記点検窓（１２）は、貯留ホッパ（８）の前面で該貯留ホッパ（８）の左右方向中心部（Ｙ１）に設置してあることを特徴とする請求項１記載のコンバインの穀粒貯留ホッパとする。
【０００８】
作業者が貯留ホッパ（８）内の穀粒の充填量を確認するのに、左右どちら側にも目が届き易く、充填量が左右バランスよく確認できる。
請求項３記載の発明は、前記点検窓（１２）は、貯留ホッパ（８）の前側に設置されている運転席（５）の横幅方向中心部（Ｙ２）よりも脱穀部（４）側寄りの部位に設置してあることを特徴とする請求項１又は請求項２記載のコンバインの穀粒貯留ホッパとする。
刈取作業時では、刈取部から脱穀部への刈取穀稈の搬送供給状態を注視しながら作業を行うことが多く、貯留ホッパ（８）内の穀粒充填量を確認するのに、そのまま後方に振り向いて確認することが容易にできる。
【０００９】
請求項４記載の本発明は、前記点検窓（１２）は、貯留ホッパ（８）の前面の下端側に対して上端側ほど後位となる後傾斜面部に設けてあることを特徴とする請求項１又は請求項２又は請求項３記載のコンバインの穀粒貯留ホッパとする。
【００１０】
運転席に座って作業をする時、点検窓（１２）が作業者の目線よりも下方に位置するので、作業者は斜め下方を見下ろしながら点検窓（１２）を注視することができ、貯留ホッパ（８）内穀粒の充填量確認が容易に行える。
【発明の効果】
【００１１】
請求項１記載の発明によれば、点検窓（１２）は外側に膨出する球面形状であるため、左右、上下方向の角度から容易に視認することができ、透視範囲が広くとれて貯留ホッパ（８）内の広範囲での点検が容易にできる。
【００１２】
請求項２記載の発明によれば、請求項１記載の発明の効果を奏するものでありながら、点検窓（１２）が貯留ホッパ（８）の前面で左右方向中心部に設定してあるので、作業者が貯留ホッパ（８）内の穀粒の充填量を確認するのに、左右どちら側にも目が届き易く、充填量を正確に確認することができる。
【００１３】
請求項３記載の発明によれば、点検窓（１２）が運転席（５）の中心部よりも脱穀部（４）側寄り位置に設定してあるので、刈取作業時にあっても、作業者は後方を振り向いての穀粒充填量確認が容易にできる。
【００１４】
請求項４記載の発明によれば、点検窓（１２）が貯留ホッパ（８）の前面の後傾斜面部に設けられているので、作業者は運転席に座ったままでも斜め下方を見下ろしながら点検窓（１２）を注視することができ、貯留ホッパ（８）内の穀粒の充填量確認が容易に行える。
【図面の簡単な説明】
【００１５】
【図１】コンバインの側面図
【図２】コンバインの正面図
【図３】コンバインの正面図（別実施例１）
【図４】コンバインの正面図（別実施例２）
【図５】コンバインの正面図（別実施例３）
【図６】コンバインの正面図（別実施例４）
【図７】コンバインの側面図（別実施例５）
【図８】コンバインの正面図（別実施例６）
【図９】コンバインの側面図（別実施例７）
【図１０】コンバインの正面図（別実施例８）
【発明を実施するための形態】
【００１６】
この発明の実施例を図面に基づき説明する。
図１及び図２は、コンバインの側面図及び正面図を示すものであり、この走行車体１には、左右一対の走行クローラ２，２を備え、後部に搭載した脱穀部（脱穀装置）４の前方部に刈取部３を設置し，刈取部３の横側部には運転席５や操作ボックス６等からなる運転操作部を備え、更に、その運転操作部の後方で、且つ前記脱穀部の横側部には、脱穀部の1番揚穀装置７からの脱穀粒を受け入れて一時的に貯留する袋詰用貯留ホッパ８を装備している。
【００１７】
貯留ホッパ８には、漏斗部８ｒの下端に排出筒９が設けられ、この排出筒９部に設けられた開閉シャッター１０を開けると、ホッパ内の穀粒が袋ホルダ１１に吊持された袋内に詰め込まれるようになっている。
【００１８】
ホッパ８の前側壁面部（前面）８ｆには、前方に向けて膨出する略球面形状の透視可能な点検窓１２が設けられている。この点検窓１２は、正面視で、ホッパ８の左右幅方向中心部（Ｙ１）に設定され、しかも、運転席５の左右幅方向中心部（Ｙ２）よりも左側の脱穀部４側寄り位置に設定されている。また、この点検窓は、ホッパ８の後傾斜前面８ｆ、即ち、下端側より上端側ほど後位となるよう後傾斜角θをもつ前面８ｆに設定する構成としている。従って、作業者は運転席に座ったままでも斜め下方を見下ろしながら点検窓を注視することができ、ホッパ内穀粒の充填量が容易に確認できる。
【００１９】
更に、ホッパ前面の後傾斜角θを適宜設定することにより、作業者が運転席に座った状態で、ホッパ下部の出口部（シャッター１０部）が見えるようにしておくと、出口部での詰まりの状態や、シャッターの開閉の有無等早期に確認することができる。
【００２０】
また、運転席（背もたれ部）５のシート角θ１とホッパ前面の傾斜角θとを略同じ角度にし、かつ、同一延長線上に配置しておけば、作業者が無理なく点検窓を視認することができる。
【００２１】
図３に示す実施例のように、貯留ホッパ８の前面に設ける点検窓１２を、ホッパ中心より脱穀部４側寄りで、かつ、運転席５よりも脱穀部側に寄った位置に配設すると、作業者が運転席に着座した状態でも左側後方へ振り向いての点検窓確認が一層容易に行える。
【００２２】
ホッパ前面の左右中心部に設けた点検窓１２の後方部に開閉可能な点検蓋１３を設けることで、点検窓より穀粒の充填量を確認し、点検蓋を開けてホッパ内全体を確認できるようにしている。また、図４に示すように、ホッパ前面の左右中心に対し、点検窓１２と点検蓋１３を右側に設けることで、作業者が右から後方に振り向き、点検窓より穀粒の充填量を確認し、点検蓋を開ければホッパ内全体が容易に確認できる。
【００２３】
なお、図５は、点検窓１２と点検蓋１３を、運転席５の横幅方向中心（Ｙ２）に対して脱穀部４側寄りに設けた構成例を示し、また、図６は、運転席５よりも更に脱穀部側寄りに配置した構成例を示している。
【００２４】
図７及び図８には、貯留ホッパ８の横外側面８ｓ部においても、外側方に膨出する略球面形状の透視可能な点検窓１２を設けた構成例が示され、籾袋の交換作業を行う補助作業者にあっても穀粒の充填量が容易に確認できるようにしている。図例（図７）の点検窓１２は、貯留ホッパの前後方向中心部に設定しているが、その中心部より前側或いは後側に設定するようにしても良い。また、ホッパ８の横外側面８ｓは、左上がり右下がりの傾斜角αをもつ傾斜面とし、この傾斜横外側面部に前記点検窓を設けるようにすることで、籾袋の交換作業に支障をきたさないようにしている。
【００２５】
なお、図７に示された点検蓋１３は、運転席側から蓋が開け易くなるようにθ角傾斜させた構成としている。
１番揚穀装置（1番揚穀筒）７がホッパの前後方向中心に対して前方にあり、この揚穀装置の出口から後方に投出してホッパ内に貯留するコンバインにおいて、ホッパ８の形状を前方から後方に向かって拡がった形状に構成することで、スペースを有効活用でき、ホッパの容量も充分確保することができる。
【００２６】
また、図９に示すように、貯留ホッパ８後部のβ角分において、最小の排出角度（流下角）を保持しながら排ワラ搬送カバー１４の形状に沿うように構成することで、スペースを有効活用でき、ホッパ容量も確保することができる。
【００２７】
図１０に示す実施例では、ホッパ８に連通する1番揚穀筒７の出口部７ａ付近で、この出口部に対向する側のホッパ前面に掃除口を開口して設け、この掃除口に透明体からなる開閉可能な掃除用開閉蓋１５を設けた構成としている。掃除用開閉蓋１５は、図例のように蝶番１６を介して揺動開閉し、ノブ１７によってロック及びロック解除する構成である。この開閉方式はスライドによって開閉する方式を採っても良い。かかる構成により、湿材等で揚穀筒出口部が詰まっても、運転席から開閉蓋を開けて容易に除去することができる。
【符号の説明】
【００２８】
４  脱穀部
５  運転席
８  貯留ホッパ
１２  点検窓
【図１】
2010193797.tif 000003
【図２】
2010193797.tif 000004
【図３】
2010193797.tif 000005
【図４】
2010193797.tif 000006
【図５】
2010193797.tif 000007
【図６】
2010193797.tif 000008
【図７】
2010193797.tif 000009
【図８】
2010193797.tif 000010
【図９】
2010193797.tif 000011
【図１０】
2010193797.tif 000012